(57)【要約】【課題】屋根上作業者が屋根作業用安全棒を持って梯子から屋根面に上り、又は屋根面において命綱を掛け替える時に、屋根面に予め設けた安全具の係止部に、安全棒のフック部を容易に係止できるようにした。【解決手段】握り棒２の先端にフック部３が設けられた屋根作業用安全棒１において、前記フック部３は、その本体部３ａが略Ｕ形に形成され、その基端部分が前記握り棒２の先端部に固定され、その先端部分には、該先端部分がアール部３ｂを介して外方に略Ｌ形に折り曲げられた形状のガイド部４が一体に形成されている。【選択図】      図１
0003130466.tif 000002
【実用新案登録請求の範囲】
【請求項１】
握り棒の先端に略鉤状のフック部が設けられた屋根作業用安全棒において、  前記フック部の先端部分には、該先端部分から外方に突出する形状のガイド部が設けられていることを特徴とする屋根作業用安全棒。
【請求項２】
握り棒の先端にフック部が設けられた屋根作業用安全棒において、
前記フック部は、その本体部が略Ｕ形に形成され、その基端部分が前記握り棒の先端部に固定され、その先端部分には、該先端部分がアール部を介して外方に略Ｌ形に折り曲げられた形状のガイド部が一体に形成されていることを特徴とする屋根作業用安全棒。
【請求項３】
前記フック部は、金属又はプラスチックの棒体により一体に折り曲げ形成されていることを特徴とする請求項１又は２記載の屋根作業用安全棒。
【請求項４】
前記ガイド部は、前記フック部の本体部に対し、斜め下方向に鈍角に折り曲げ形成されていることを特徴とする請求項１乃至３のいずれか１項記載の屋根作業用安全棒。
【考案の詳細な説明】
【技術分野】
【０００１】
本考案は、命綱を係止するための環状の安全索係止部が設けられた傾斜屋根面における作業者の安全を確保するために用いて好適な屋根作業用安全棒に関する。
【背景技術】
【０００２】
建物の屋根は、施工後の経年変化に応じてメンテナンスを行ったり、屋根施工後にアンテナの取付、交換作業を行う場合もある。この場合、屋根職人やアンテナ取付作業者が屋根に上って、資材の持ち上げや補修、取付、交換作業を行うのであるが、特に傾斜屋根面の場合は滑りやすく、高所作業であるため、作業者自体の身体確保に十分留意する必要がある。
【０００３】
例えば下記特許文献ｌには、図５及び図６に示されるように、予め複数の安全具２５を屋根面２１の適所に固定しておくことで、以後の屋根作業時には、当該安全具２５により作業者の安全確保が可能となるようにした屋根作業用安全具及び安全構造が示されている。
【０００４】
ところが、作業者が、梯子４１から屋根面２１に登る時には、上記の安全具２５を利用することができず、滑りやすく危険であった。また、屋根上作業者が携行するカラビナフック具付きの命綱の長さは、作業性の点からも限界がある。また、この命綱に設けたフック具を一つの屋根作業用安全具２５に係止した状態で、他の屋根作業用安全具２５に係止が可能となる間隔で複数の屋根作業用安全具２５を配設すれば、その数が膨大となり、コスト面でも現実的でなくなる。したがって、実際には、現在命綱を係止している安全具２５の環状の係止部２５ｂから、他の係止部２５ｂへ命綱の掛け替えを行う際には、一旦係止中の現在の係止部２５ｂから命綱を外し、他の係止部２５ｂまで傾斜屋根面２１を昇って命綱を他の係止部２５ｂに係止しなければならなかった。そのため、例えば命綱を現在係止中の係止部２５ｂから外して他の係止部２５ｂへ掛け替えるまでの間に、命綱未係止状態が発生し、安全性の低下する空白時間が発生した。
【０００５】
このため、複数の屋根作業用安全具２５が配設された傾斜屋根面２１での作業において、命綱未係止状態での安全性低下が防止できる屋根作業用安全棒が下記特許文献２により提案されている。
特許文献２に示す屋根作業用安全棒は、握り棒の先端に略鉤状のフック部を設けた構造である。屋根上作業者が、梯子４１から屋根面２１に登る時、又は屋根面２１において命綱を掛け替える時には、屋根作業用安全棒のフック部を安全具２５の係止部２５ｂに引っ掛け、握り棒を持って安全性を確保しつつ移動するようにする。
【特許文献１】特許第３８４２７８９号公報
【特許文献２】特開２００５−２９９１１２号公報
【考案の開示】
【考案が解決しようとする課題】
【０００６】
ところが、図３（Ａ）に示されるように、上記従来の屋根作業用安全棒３１の握り棒３２先端のフック部３３を、安全具２５の係止部２５ｂに引っ掛けるときに、フック部３３及び係止部２５ｂが屋根面２１と略平行になるため、うまく引っ掛からないという問題があった。特に、梯子４１から屋根面２１に登る時には、上記の引っ掛け作業が目視できにくいため、困難であった。
【０００７】
本考案は、以上の点に鑑みてなしたもので、屋根上作業者が屋根作業用安全棒を持って梯子から屋根面に上り、又は屋根面において命綱を掛け替える時に、屋根面に予め設けた安全具の係止部に、安全棒のフック部を容易に係止できるように改良した屋根作業用安全棒を提供することを目的とする。
【課題を解決するための手段】
【０００８】
次に、上記の課題を解決するための手段を、実施の形態に対応する図面を参照して説明する。
【０００９】
本考案では、握り棒２の先端に略鉤状のフック部３が設けられた屋根作業用安全棒１において、前記フック部３の先端部分には、該先端部分から外方に突出する形状のガイド部４が設けられていることを特徴としている。
上記ガイド部４付きのフック部３は、後述するように一本の金属又はプラスチックの棒状体を一体に折り曲げるようにして形成しても良いが、型成形や鍛造により形成しても良い。
【００１０】
また、本考案では、握り棒２の先端にフック部３が設けられた屋根作業用安全棒１において、前記フック部３は、その本体部３ａが略Ｕ形に形成され、その基端部分が前記握り棒２の先端部に固定され、その先端部分には、該先端部分がアール部３ｂを介して外方に略Ｌ形に折り曲げられた形状のガイド部４が一体に形成されていることを特徴としている。
【００１１】
前記フック部３は、その上記本体部３ａからガイド部４にかけて連続して、金属又はプラスチックの棒体により一体に折り曲げ形成されている。
【００１２】
また、前記ガイド部４は、前記フック部３の本体部３ａに対し、斜め下方に鈍角θに折り曲げ形成されていることが望ましい。
【考案の効果】
【００１３】
本考案に係る屋根作業用安全棒１によれば、図３Ｂに示すように、そのフック部３を、屋根面にある安全具の環状の係止部に引っ掛ける時に、ガイド部４の先端部を安全具のループ状係止部内に上から入れ、屋根面に付き当てるようにして立ち上げて、そのまま引っ張ることにより、容易に安全具の係止部にフック部３を係止させることができる。また、一旦係止させた後、不用意に握り棒を引っ掛け方向と反対側に動かした場合でも、ガイド部４が安全具の係止部に係止されて、その不用意な引き抜けが防止される。このようにして、屋根作業用安全棒の使用時の安全性と引っ掛け容易性が向上する。
【００１４】
また、図４に示すように、本考案の屋根作業用安全棒を持って梯子を登る時に、そのフック部３のガイド部４が梯子段に上方から係止され、安全棒が梯子段から滑り落ちるということがなく、安全である。
【００１５】
ガイド部４をフック部３の本体部３ａから外方に鈍角に折り曲げ形成させることにより、上記梯子段への引っ掛け時に、ガイド部４が外方に広がるように引っ掛けられ、安全棒が梯子段から滑り落ちるということがない。また、安全具の係止部にフック部３を引っ掛ける時にも、ガイド部４の鈍角面がフック部３内へのガイドとなって導かれ、その引っ掛け作業が一層スムーズで容易となる。
【考案を実施するための最良の形態】
【００１６】
以下、本考案に係る屋根作業用安全棒の好適な実施の形態を図面を参照して詳細に説明する。
図１は本考案に係る屋根作業用安全棒の正面図、図２は同要部の拡大図である。
【００１７】
屋根作業用安全棒１は、長尺の握り棒２の先端に、フック部３の基部が固定されて設けられている。フック部３は、金属の棒体が一体に折り曲げられて形成され、略Ｕ形本体部３ａの先端部分がアール部３ｂを介して外方に略Ｌ形に折り曲げられて、ガイド部４が形成されている。
【００１８】
ガイド部４は、本体部３ａに対し、略９０度から略１６０度の範囲で折り曲げ状に形成されるが、下向き鈍角θに折り曲げ形成されることが望ましい。
【００１９】
握り棒２は、しなやかな素材とするものであることが好ましく、例えば木（竹等）製、グラスファイバー製、中空のカーボンロッド製などとすることができる。握り棒２は、安全棒１の全長が例えば１５５０ｍｍ程度であるので、それよりも若干短い寸法となる。なお、軽量化を図るため、握り棒２は、先端に向かって徐々に縮径した先細り形状であってもよい。握り棒２の途中には、滑り止めのグリップ部５が設けられている。グリップ部５は、握り棒２の途中に、ゴム、スポンジ等からなる滑り止めチューブを外挿して固着する構成とすることができれる。
【００２０】
上記本考案に係る屋根作業用安全棒１を引っ掛けて係止させるための安全具２５を、図３、図５及び図６によって説明する。
図５及び図６は、安全具２５が予め複数箇所に設けられた傾斜屋根面２１を示す。
安全具２５は、図３に示すように、ステンレスなどの耐錆性のある所定厚みの金属板をプレス成形などによって一体成型した取付部２４を備え、この取付部２４が、木螺子による固定具２３により屋根下地材に固定される。取付部２４にはワイヤ２５ａの基端が締結され、ワイヤ２５ａの先端は中途部にカシメられてループ状の係止部２５ｂを形成している。なお、図示の安全具２５は例示であり、安全棒１の使用対象となる安全具はこれらの構成のものに限定されるものではなく、少なくとも環状の係止部を備えるものであればよい。
【００２１】
次に、上記の屋根作業用安全棒１の作用を説明する。
図６は傾斜屋根面への梯子の固定状況を表した斜視図である。
傾斜屋根面２１上で作業を行うには、先ず、梯子４１が軒先に立てかけられる。梯子４１を昇った作業者は、傾斜屋根面２１の最下部にある例えば安全具２５に、梯子固定ロープ４３を係止する。作業者は、その後、梯子４１の上部から傾斜屋根面２１へ昇り上がる。このとき、安全棒１を用い、すなわち、梯子４１上から安全棒１を屋根面２１にある任意の安全具２５の環状の係止部２５ｂにフック部３を引っ掛け、握り棒２を持って安全に屋根面２１へ登る。屋根面２１へ登った作業者は、フック部３の引っ掛かっている安全具２５の係止部２５ａに命綱に設けたカラビナフック具を係止して、屋根上作業を開始し、又は屋根面を作業場所に移動する。なお、この命綱は、作業者の腰に締めた専用バンドに基端が固定されている。
【００２２】
また、作業者が、命綱を所定の安全具２５から外して、屋根面２１上の他の作業場所に移動する時にも、移動方向にある他の安全具２５に、安全棒１のフック部３を引っ掛けて安全性を確保した状態で移動し、他の安全具２５に命綱を掛けて作業を開始することができる。
【００２３】
図３に示すように、安全棒１のフック部３を安全具２５の環状の係止部２５ｂに引っ掛ける時に、図３（Ａ）の従来の安全棒３１では、その先端フック部３３が単純な鉤形に形成されていたために、フック部３３及び係止部２５ｂが屋根面２１と略平行になるため、フック部３３が係止部２５ｂの上を滑り、うまく引っ掛からないという問題があった。これに対し、本考案では、図３（Ｂ）に示すように、ガイド部４の先端部を安全具２５のループ状係止部２５ｂ内に上から入れ、屋根面に付き当てるようにして立ち上げて、そのまま引っ張ることにより、ガイド部４がガイドとなって、容易に安全具の係止部にフック部３を係止させることができる。また、一旦係止させた後、不用意に握り棒を引っ掛け方向と反対側に動かした場合でも、ガイド部４が安全具の係止部に係止されて、その不用意な引き抜けが防止される。
【００２４】
また、図４に示すように、作業者が安全棒１を携行して梯子４１を登る時に、従来の安全棒ではフック部の先端が梯子段に当たって滑り危険であったが、本考案では、ガイド部４が外方に広がるように引っ掛けられ、滑る恐れがなく、また、上部の梯子段の途中に安全棒１を引っ掛けておいてから登ることができる。
【００２５】
なお、この安全棒１は、不使用時には安全具２５の係止部２５ｂに引っ掛かけたままで放置しておけば良い。
また、安全棒１を、梯子から屋根上に登るときにのみ使用することができ、その場合には、安全棒１を１ｍ程度以内の短寸に形成することができる。
【図面の簡単な説明】
【００２６】
【図１】本考案に係る屋根作業用安全棒の正面図である。
【図２】同要部の拡大図である。
【図３】同屋根作業用安全棒の作用を説明する説明図であって、（Ａ）は、従来の例を示し、（Ｂ）は、本考案の例を示す。
【図４】同屋根作業用安全棒の作用を説明する説明図であって、梯子を登る時の本考案の例を示す。
【図５】本考案の屋根作業用安全棒が適応される屋根面の一部の拡大図である。
【図６】同屋根面の全体図である。
【符号の説明】
【００２７】
１  屋根作業用安全棒
２  握り棒
３  フック部、３ａ  本体部、３ｂ  アール部
４  ガイド部
【図１】
0003130466.tif 000003
【図２】
0003130466.tif 000004
【図３】
0003130466.tif 000005
【図４】
0003130466.tif 000006
【図５】
0003130466.tif 000007
【図６】
0003130466.tif 000008